(57)【特許請求の範囲】
【請求項１】
各色に対応する複数の光源を有し、
各光源からの光ビームは、共通の偏向手段により該偏向手段の片側で偏向されて、走査結像レンズにより異なる感光体上の被走査面上に導かれ、対応する被走査面上に光スポットとして集光される光走査装置において、
走査結像レンズが２つの走査レンズにより構成され、
上記２つの走査レンズのうち上記偏向手段側の走査レンズは、主走査方向に正の屈折力を持ち、副走査方向の屈折力が略ゼロであり、異なる被走査面に向かう複数の光ビームに共有化されており、
上記２つの走査レンズのうち上記被走査面側の走査レンズは、主走査方向に負の屈折力、副走査方向に正の屈折力を持ち、
上記偏向手段側の走査レンズがプラスチックレンズであり、
上記２つの走査レンズ間に、各被走査面へ光路を分離するための分離ミラーが配置され、
前記分離ミラーを複数配置するために、上記偏向手段の偏向の起点から被走査面に至る光軸上の距離：Ｌ、上記各走査レンズにおける光軸上におけるレンズ間隔の最大の距離：ａが、条件：
（１）  0.3＜｜ａ/Ｌ｜＜0.6
を満足することを特徴とする光走査装置。
【請求項２】
請求項１記載の光走査装置において、
上記２つの走査レンズのうち、上記被走査面側の走査レンズは、主走査断面内の形状が被走査面に凸面を向けた負メニスカス形状であることを特徴とする光走査装置。
【請求項３】
請求項１または２記載の光走査装置において、
走査結像レンズが、副走査方向に関して、偏向手段における偏向の起点と被走査面とを幾何光学的に略共役な関係とする機能を持ち、
偏向手段と被走査面との間の、光軸上における副走査方向の横倍率：β0、任意像高における副走査方向の横倍率：βｈが、条件：
（２）  0.9＜｜βｈ/β0｜＜1.1
を満足することを特徴とする光走査装置。
【請求項４】
請求項１〜３の任意の１に記載の光走査装置において、
走査結像レンズが、副走査方向に関して、偏向手段における偏向の起点と被走査面とを幾何光学的に略共役な関係とする機能を持ち、
偏向面と被走査面の間の光軸上における副走査方向の横倍率：β0が、条件：
（３）  0.2＜｜β0｜＜0.6
を満足することを特徴とする光走査装置。
【請求項５】
請求項１〜４の任意の１つに記載の光走査装置において、
異なる被走査面に向かう複数の光ビームが、これらに共通する、偏向手段側の走査レンズを、副走査方向に於いて互いに略平行に通過することを特徴とする光走査装置。
【請求項６】
請求項１〜５の任意の１に記載の光走査装置において、
各色に対応する複数の光源を有し、
偏向手段が偏向反射面を有する反射型のものであり、同一の偏向反射面で偏向される全ての光ビームが主走査方向において、上記偏向面近傍の略１点で交わるように構成さていることを特徴とする光走査装置。
【請求項７】
感光性媒体に光走査を行って画像形成を行う画像形成装置において、
請求項１〜６の任意の１に記載の光走査装置を有する画像形成装置。
【請求項８】
請求項７記載の画像形成装置において、
複数の光導電性の感光体を感光性媒体として、転写媒体の搬送路に沿って配列し、各感光体に光走査を行って静電潜像を形成し、各静電潜像を異なる色のトナー画像として可視化し、各色トナー画像を同一のシート状記録媒体に重ね合わせて転写・定着して合成的に画像を得る画像形成装置。
【請求項９】
請求項８記載の画像形成装置において、
光走査装置として請求項８〜９の任意の１に記載のものを用いたことを特徴とするタンデム型の画像形成装置。
【請求項１０】
請求項９記載のタンデム型の画像形成装置において、
光導電性の感光体の数が３もしくは４であり、カラー画像を形成することを特徴とするタンデム型の画像形成装置。
【発明の詳細な説明】
【０００１】
【発明の属する技術分野】
この発明は、光走査装置および画像形成装置に関する。
【０００２】
【従来の技術】
光走査装置を用いる画像形成装置が、光プリンタやデジタル複写装置、ファクシミリ装置、光プロッタ等として広く実施されている。これら画像形成装置に用いられる光走査装置としても、従来のシングルビーム走査方式のものに加え、マルチビーム走査方式のものも実現されつつあり、画像形成装置の構成としては、モノクロームの画像形成を行うものに加え、カラー画像や多色画像の形成を行うものが実用化されつつあり、中でも「タンデム式」とよばれるものが活発に開発されている（特許文献１〜６参照）。
【０００３】
光走査装置による書込は高密度化が進み、１２００ｄｐｉ、１６００ｄｐｉさらにはそれ以上の書込密度の実現が意図されている。高密度書込の実現には、光スポットの安定性、即ち、「被走査面上を光走査する光スポットのスポット径が像高により大きく変動しないこと」が不可欠である。
【０００４】
光スポットの像高に応じてスポット径が変動する原因の１つは周知の如く「走査結像光学系による像面湾曲」であり、光スポットの安定性を高めるために「像面湾曲を良好に補正した走査結像光学系」は多数のものが知られている。
【０００５】
マルチビーム走査方式の光走査装置では、光スポットの安定に加え、偏向光ビームを被走査面に向かって集光させる走査結像光学系の結像倍率が、光スポットの像高によらず略一定していることも重要である。
【０００６】
【特許文献１】
特開平１１−１５７１２８号公報
【特許文献２】
特開平  ９−１２７４４３号公報
【特許文献３】
特開平  ９−  ５４２６３号公報
【特許文献４】
特開２００１−    ４９４８号公報
【特許文献５】
特開２００１−  １０１０７号公報
【特許文献６】
特開２００１−  ３３７２０号公報
【０００７】
【発明が解決しようとする課題】
この発明は、光スポットの安定性に優れ、走査結像レンズの結像倍率の安定性が高い光走査装置と、これを用いた画像形成装置の実現を課題とする。
【０００８】
【課題を解決するための手段】
この発明の光走査装置は「光源からの光ビームを偏向する偏向手段と、この偏向手段により偏向された光ビームを被走査面上に導き、被走査面上に光スポットとして集光させる走査結像レンズとを有する光走査装置」であり、以下の如き特徴を有する（請求項１）。
【０００９】
即ち、走査結像レンズが２つの走査レンズを有し、これら２つの走査レンズのうち「偏向手段側の走査レンズ」は、「主走査方向に正の屈折力」を持ち「副走査方向の屈折力が略ゼロ」であり、２つの走査レンズのうち「被走査面側の走査レンズ」は、「主走査方向に負の屈折力、副走査方向に正の屈折力」を持つ。
【００１０】
請求項１記載の光走査装置における走査結像レンズは「２枚の走査レンズ」で構成する。この場合、走査面側の走査レンズは「主走査断面内の形状が被走査面に凸面を向けた負メニスカス形状」であることが好ましい（請求項２）。
【００１１】
「主走査断面」は、走査レンズの光軸を含み、主走査方向に平行な仮想的な平断面である。主走査方向に直交する仮想的な平断面は「副走査断面」と呼ぶ。
【００１２】
請求項１に記載の光走査装置は「偏向手段の偏向の起点から被走査面に至る光軸上の距離：Ｌ、各走査レンズにおける光軸上におけるレンズ間隔の最大の距離：ａが、条件：
（１）  0.3＜｜ａ/Ｌ｜＜0.6
を満足する」ことが好ましい。
【００１３】
請求項１または２記載の光走査装置における走査結像レンズは「副走査方向に関して、偏向手段における偏向の起点と被走査面とを幾何光学的に略共役な関係とする機能を持ち、偏向手段と被走査面との間の、光軸上における副走査方向の横倍率：β0、任意像高における副走査方向の横倍率：βｈが、条件：
（２）  0.9＜｜βｈ/β0｜＜1.1
を満足する」ことが好ましい（請求項３）。
【００１４】
請求項１〜３の任意の１に記載の光走査装置における走査結像レンズは「副走査方向に関して、偏向手段における偏向の起点と被走査面とを幾何光学的に略共役な関係とする機能を持ち、偏向面と被走査面の間の光軸上における副走査方向の横倍率：β0が、条件：
（３）  0.2＜｜β0｜＜0.6
を満足する」ことが好ましい（請求項４）。
【００１５】
光走査装置における走査結像レンズを構成する２つの走査レンズのうち、少なくとも１枚をプラスチックレンズとすることができる。この場合において「偏向手段側の走査レンズをプラスチックレンズ」とすることができる（請求項１）。
【００１６】
前述の請求項１に記載の光走査装置は「各色に対応する複数の光源を有し、各光源からの光ビームが共通の偏向手段により偏向されて、走査結像レンズにより異なる感光体上の被走査面上に導かれ、対応する被走査面上に光スポットとして集光され、走査結像レンズを構成する２つの走査レンズのうち、偏向手段に近い走査レンズが、異なる被走査面に向かう複数の光ビームに共通化されている」構成とすることができる。
【００１７】
請求項１〜４の任意の１に記載の光走査装置においては「異なる被走査面に向かう複数の光ビームが、これらに共通する、偏向手段側の走査レンズを、副走査方向に於いて互いに略平行に通過する」ようにできる（請求項５）。
【００１８】
請求項１〜５の任意の１に記載の光走査装置は「各色に対応する複数の光源を有し、偏向手段が偏向反射面を有する反射型のもので、同一の偏向反射面で偏向される全ての光ビームが主走査方向において、偏向面近傍の略１点で交わる」ように構成することができる（請求項６）。
【００１９】
上において「同一の偏向反射面で偏向される全ての光ビームが主走査方向において、偏向面近傍の略１点で交わる」とは、同一の偏向反射面に入射する複数の光ビームを副走査方向から見た場合に、これら光ビームが偏向反射面近傍の略１点で交差することを言う。
【００２０】
光走査装置により光走査される被走査面の実体は光導電性の感光体等の「感光性媒体」の感光面であるが、上における請求項１、５の説明における「互いに異なる被走査面」は、異なる感光性媒体の感光面以外に、同一の感光性媒体における「異なる画像を書込まれる別個の光走査位置」をも含む。
【００２１】
また、複数の光ビームは異なる被走査面を光走査する場合もあるが、マルチビーム走査方式のように、１被走査面を複数の光ビームが光走査する場合もある。
【００２２】
この発明の画像形成装置は「感光性媒体に光走査を行って画像形成を行う画像形成装置」であって、請求項１〜６の任意の１に記載の光走査装置を有するものである（請求項７）。感光性媒体としては、上述の光導電性の感光体を用いることができるほか、銀塩フィルムを用いることもできる。銀塩フィルムに光走査により形成される潜像は、通常の銀塩写真の現像プロセスで可視化できる。
【００２３】
このように感光性媒体として銀塩フィルムを用いる画像形成装置は、光製版機や（ＣＴスキャンの画像を形成する）光描画装置として実施することができる。
【００２４】
請求項７記載の画像形成装置は「複数の光導電性の感光体を感光性媒体として、転写媒体の搬送路に沿って配列し、各感光体に光走査を行って静電潜像を形成し、各静電潜像を異なる色のトナー画像として可視化し、各色トナー画像を同一のシート状記録媒体に重ね合わせて転写・定着して合成的に画像を得る画像形成装置」として構成することができる（請求項８）。
【００２５】
「シート状記録媒体」は、転写紙やＯＨＰシート（オーバヘッドプロジェクタ用のプラスチックシート）等である。
上記「転写媒体」は、シート状記録媒体自体であることもできるが、中間転写ベルト等の中間転写媒体であることもできる。即ち、各感光体上に形成されたトナー画像は、シート状記録媒体に直接転写してもよいし（直接転写方式）、中間転写媒体を介して転写しても良い（中間転写方式）。
【００２６】
請求項８記載の画像形成装置は、光走査装置として請求項５、６の任意の１に記載のものを用いて「タンデム型の画像形成装置」として構成できる（請求項１０）。この場合、光導電性の感光体の数が３もしくは４とし、カラー画像を形成することができる（請求項１０）。
【００２７】
請求項１記載の光走査装置では、走査結像レンズが２つの走査レンズを有し、偏向手段側の走査レンズは、主走査方向に正の屈折力を持ち、副走査方向の屈折力は略ゼロであり、被走査面側の走査レンズは、主走査方向に負、副走査方向に正の屈折力を持つ。
【００２８】
従って、ｆθ特性のような等速特性を実現する機能を「偏向手段側の走査レンズ」に配分すると共に、副走査方向の結像機能を主として「被走査面側の走査レンズ」に配分することにより、特に副走査方向の像面湾曲の良好な補正が可能になる。また、副走査方向の結像機能が被走査面に近い走査レンズに配分されることにより、副走査方向の結像倍率が小さくなり、小径の光スポットを実現でき、像高による倍率の変動も補正しやすい。
【００２９】
請求項２記載の光走査装置では、走査結像レンズが２枚の走査レンズで構成され、被走査面側の走査レンズは、主走査断面内の形状が「被走査面に凸面を向けた負メニスカス形状」であるので、像高に対して光学倍率を一定にすることが容易である。
【００３０】
副走査方向の少なくとも２つの面を「副走査断面内の曲率中心を主走査方向に連ねた曲率中心線が、主走査断面内で主走査方向の非円弧形状とは異なる曲線となるように、副走査断面内の曲率半径を主走査方向に変化させた面」とし、これら２つのレンズ面をベンディングさせて「副走査方向の主点位置を調整する」場合、これら２つの面の間隔が広いほど、主点位置の変化量を大きく取ることができ、副走査方向の横倍率を像高間で容易に補正可能となる。
【００３１】
請求項２記載の光走査装置では低コスト化の観点から、走査結像レンズを２枚構成とし、最も偏向手段に近い走査レンズは副走査方向の屈折力をほぼゼロとしている。このため前記２つの面は被走査面側の走査レンズの第１、第２面となるが、これらの面を主走査断面内において「被走査面に凸面を向けた負メニスカス形状」とすることにより、上記２つの面の間隔が、光軸を離れるにつれて増大するようにし、「周辺側における副走査方向の主点位置の調整」を容易にし、光スポットの像高に対する副走査方向の結像倍率の変化を有効に小さくすることができる。
【００３２】
すなわち、中心像高に対し、周辺像高は光路長が長くなるため、副走査方向の横倍率を像高に拘わらず一定に保つには、周辺像高での主点位置が中心像高に対し偏向手段側にある要がある。これを実現するため、上記負メニスカス形状の凸側を被走査面側とし、周辺像高での主点位置が中心像高に対し偏向手段側に位置できるようにし、更に、被走査面に最も近い走査レンズの第１、第２面を「副走査断面内の曲率中心を主走査方向に連ねた曲率中心線が、主走査断面内で主走査方向の非円弧形状とは異なる曲線となるように、副走査断面内の曲率半径を主走査方向に変化させた面」を用い、２つのレンズ面をベンディングさせて「副走査方向の主点位置を調整する」ことで、像高に対して光学倍率を略一定にすることが可能となる。
【００３３】
請求項３における条件（２）は、走査結像レンズの副走査方向における結像倍率の有効走査領域内における「望ましい範囲」であり、この範囲を外れると、光スポットのスポット径の有効走査領域内での変動が大きくなり、形成された画像に影響がでる。条件（２）を満足することにより、マルチビーム走査方式の光走査を行う場合にも、複数走査線間のピッチを一定に保つことができ、マルチビーム化による高密度化、高速化にも対応可能となる。
【００３４】
請求項４における条件（３）の下限値を越えると、狙いのスポット径に対し、偏向手段と被走査面の間の光軸上における副走査方向の横倍率：β0を大きく設定した場合、ビーム整形用のアパーチャにおける開口径を小さく設定する必要が生じ、光量不足の問題や、アパーチャにおける回折の影響によるスポット径の劣化が生じやすい。条件（３）の上限値を越えると、偏向手段側の走査レンズと被走査面との間隔が大きくなり、画像形成装置の大型化を招来しやすい。
【００３５】
例えば、偏向手段を共用するタンデム式の画像形成装置を構成するような場合、２つの走査レンズ間に、各色に対応する被走査面へ光路を分離するためのミラーなどを配置するが、このような場合、請求項１における条件（１）の下限値を越えると、２つの走査レンズ間で最も離れている光軸上の間隔が短くなり過ぎ、光路分離用のミラー等の配置が困難となる。
【００３６】
また、条件（１）の上限値を越えると、偏向手段側の走査レンズが偏向手段側に近づくが、この走査レンズは主走査方向に強い正の屈折力を持つため、被走査面上の有効走査領域を光走査するための画角が狭くなって、画角が広い場合に比して走査時間が短くなり、光源に用いられるＬＤ等のオン・オフの応答速度が書込密度に対し対応できなくなる虞がある。
【００３７】
請求項１のように、走査レンズにプラスチックレンズを用いると、低コストで作製でき、非球面等の複雑な面形状も容易に形成できる。反面、プラスチックレンズは温度変化等により光学特性の変化が生じやすい。特に、偏向手段として一般的な回転多面鏡等では、ポリゴンミラー等を回転させる駆動モータの発熱で周囲温度が上昇しやすい。
【００３８】
請求項１記載の光走査装置のように、偏向手段側の走査レンズをプラスチックレンズにすると、駆動モータの発熱の影響で温度変化を生じやすく、感光体ごとに別個の走査結像レンズを用いるタンデム式のカラー画像形成装置では、走査結像レンズの「温度変化に起因する等速特性の変化」が走査結像レンズごとに区々となって合成カラー画像に色ずれや色相変化が発生しやすいが、請求項１の光走査装置のように、偏向手段側の走査レンズ（等速特性を補正する機能をもっている）を「異なる被走査面に向かう複数の光ビームに共通化」すると、等速性の変動は各色で同様に生じることになり、色ずれや色相変化の発生は抑制される。
【００３９】
【発明の実施の形態】
以下、実施の形態を説明する。
【００４０】
図１は、光走査装置の実施の１形態における光学配置を示している。
この光走査装置は、光源１からの光ビームを偏向する偏向手段５と、この偏向手段５により偏向された光ビームを被走査面７上に導き、被走査面７上に光スポットとして集光させる走査結像レンズ６とを有する光走査装置であって、走査結像レンズ６が２つの走査レンズ６Ａ、６Ｂを有し、これら２つの走査レンズ６Ａ、６Ｂのうち偏向手段５に最も近い走査レンズ６Ａは、主走査方向に正の屈折力を持ち、副走査方向の屈折力が略ゼロであり、２つの走査レンズのうち被走査面７に最も近い走査レンズ６Ｂは、主走査方向に負の屈折力、副走査方向に正の屈折力を持つ（請求項１）。
【００４１】
若干詳しく説明すると、光源１から射出された光ビームは、カップリングレンズ２により平行光束（弱い収束性もしくは弱い発散性としてもよい）に変換され、以後の光学系にカップリングされる。カップリングされた光ビームは、被走査面７上に所望のスポット径を得るためアパーチャ３の開口を通過してビーム整形されたのち、シリンドリカルレンズ４により副走査方向に集束され、ミラーＩＭを介して偏向手段５の偏向反射面５Ａの近傍に「主走査方向に長い線像」として結像され、偏向手段５により等角速度的に偏向される。偏向手段５は回転多面鏡である。
【００４２】
偏向手段５により偏向された光ビームは、走査結像レンズ６を構成する走査レンズ６Ａ、６Ｂにより被走査面７上に光スポットとして集光し、被走査面７を等速的に光走査する。
【００４３】
この光走査装置において、走査結像レンズ６を構成する２枚の走査レンズ６Ａ、６Ｂは何れもプラスチックレンズである。偏向手段５側の走査レンズ６Ａには「主走査方向に正の屈折力」を持たせ、この正の屈折力を「等速性（ｆθ特性）が良好に補正される」ように設定している。被走査面７側の走査レンズ６Ｂには「主走査方向に負の屈折力」を持たせている。
【００４４】
このように、主走査方向に関して、走査レンズ６Ａの屈折力を正、走査レンズの屈折力を負とすることにより、温度変化等の環境変動や、光源１における発光波長変動に起因する各走査レンズ６Ａ、６Ｂの光学特性の変化を相殺し、環境変動や波長変動に起因する走査結像レンズ６の光学特性の劣化を軽減させている。
【００４５】
被走査面側の走査レンズ６Ｂは、図示の如く「長尺形状」であり、これを「主走査方向に正の屈折力を持つレンズ」として構成する場合には、レンズ長手方向のレンズ肉厚に対して周辺部の肉厚が薄くなり、長手方向の中央部と周辺部の肉厚さのため、整形加工の際に「引け」等によるレンズ形状の変形が生じやすい。
【００４６】
しかしながら、走査レンズ６Ｂは「主走査方向に負」の屈折率を持つため、長手方向に「大きな肉厚差」が発生しないため、整形加工が容易である。
【００４７】
走査レンズ６Ａは、上記の如く等速性を補正する機能を持つが、該レンズ６Ａは副走査方向に屈折力を持たないので、偏向光束の入射位置が副走査方向にずれても走査結像レンズ６としての等速性が劣化しない。また、主走査方向の結像性能の劣化も抑制可能である。
【００４８】
副走査方向に関しては、走査レンズ６Ａの屈折力が実質的に０であるので、走査レンズ６Ｂは強い正の屈折力を持つ。従って、副走査方向に関しては、走査レンズ６Ｂが「偏向光束を被走査面上に集光させる」機能を持つ。このように、副走査方向における結像機能が、被走査面７に近い走査レンズ６Ｂに担われているため、走査結像レンズ６は副走査方向に関して「縮小系」となり、光スポットの結像位置、スポット径等が、光学部品の組み付け誤差、形状誤差等の影響を受け難い。勿論、走査結像レンズ６は、副走査方向に関して「偏向手段５による偏向の起点と被走査面７とを幾何光学的な共役関係」としており、このため、偏向手段５における「面倒れ補正機能」を有している。
【００４９】
偏向手段側の走査レンズ６Ａの「主走査方向の面形状」は非円弧形状とすることができる。また、被走査面側の走査レンズ６Ｂの面形状は「主走査方向に非円弧形状で、副走査断面内の曲率中心を主走査方向に連ねた曲率中心線が、主走査断面内で主走査方向の非円弧形状とは異なる曲線となるように、副走査断面内の曲率半径を主走査方向に変化させた面」を用いることで、主・副走査両方向の像面湾曲を良好に補正可能である。
【００５０】
このようにして、「等速化機能」を良好に保ちつつ、主・副走査方向の像面湾曲を良好に補正し光スポットの安定性を実現可能である。
【００５１】
図２は「タンデム式の画像形成装置」の光走査装置の実施の１形態を説明するための図である。この画像形成装置は、カラー画像を形成する装置である。
【００５２】
図２（ａ）は光学配置を副走査方向から見た図を説明図的に示している。図を簡単化するため、偏向手段から被走査面側においては、偏向光束の光路を平面状に展開した状態で示している。
【００５３】
カラー画像は、イエロー、マゼンタ、シアン、黒の「４色のトナー画像」を合成して形成される。以下の説明における符号中、「Ｙ」はイエロー、「Ｍ」はマゼンタ、「Ｃ」はシアン、「Ｋ」は黒に関連するものである。
【００５４】
図２（ａ）に示すように、光源から偏向手段（回転多面鏡）５に至る部分においては、４個の光源１Ｙ〜１Ｋ、４個のカップリングレンズ２Ｙ〜２Ｋ、４個のアパーチャ３Ｙ〜３Ｋ、４個のシリンドリカルレンズ４Ｙ〜４Ｋが配置されている。即ち、光源１Ｙは副走査方向（図面に直交する方向）から見て、他の３つの光源１Ｍ、１Ｃ、１Ｋと重なり合い、カップリングレンズ２Ｙは副走査方向から見て、他の３つのカップリングレンズ光源２Ｍ、２Ｃ、２Ｋと重なり合い、アパーチャ３Ｙは副走査方向から見て、他の３つのアパーチャ３Ｍ、３Ｃ、３Ｋと重なり合い、シリンドリカルレンズ４Ｙは副走査方向から見て、他の３つのシリンドリカルレンズ４Ｍ、４Ｃ、４Ｋと重なり合っている。
【００５５】
光源１Ｙ〜１Ｋは半導体レーザ等である。光源１Ｙ（１Ｍ、１Ｃ、１Ｋ）から放射された光ビームは、カップリングレンズ２Ｙ（２Ｍ、２Ｃ、２Ｋ）によりカップリングされて以後の光学系に適した光束形態、例えば平行光束に変換され、アパーチャ３Ｙ（３Ｍ、３Ｃ、３Ｋ）によりビーム整形され、シリンドリカルレンズ４Ｙ（４Ｍ、４Ｃ、４Ｋ）により偏向手段の偏向反射面５Ａの近傍に「主走査方向に長い線像」として結像し、共通の偏向手段５により同時に偏向される。
【００５６】
各光源から偏向手段に入射する４本の光ビーム（の主光線）は、副走査方向において互いに平行である。
【００５７】
図２（ｂ）は偏向手段から被走査面７Ｙ〜７Ｋに至る光路を直線的に展開した状態を示している。被走査面７Ｙ〜７Ｋの実体は「光導電性の感光体」であって、図２（ｃ）に示すように、それぞれ円筒状に形成されて互いに平行に配列されている。図２（ｂ）は、被走査面７Ｙ〜７Ｋが同一面となるように描いている。
【００５８】
図２（ｂ）に示すように、光源１Ｙ〜１Ｋからの光ビームは、共通の偏向手段５により偏向面の回転軸に直交する方向へ「互いに平行」に反射されて偏向し、走査レンズＬ１を透過する。透過レンズＬ１は、４本の光ビームに共通である。
【００５９】
走査レンズＬ１を透過した各光ビームは、走査レンズＬ２Ｙ〜Ｌ２Ｋにより対応する被走査面７Ｙ〜７Ｋに向って集光し、各被走査面上に光スポットを形成し、被走査面を光走査する。
【００６０】
走査レンズＬ１と走査レンズＬ２Ｙは「被走査面７Ｙに光スポットを結像させる走査結像レンズ」を構成し、走査レンズＬ１と走査レンズＬ２Ｍ（Ｌ２Ｃ、Ｌ２Ｋ）は「被走査面７Ｍ（７Ｃ、７Ｋ）に光スポットを結像させる走査結像レンズ」を構成する。各走査レンズＬ２Ｙ〜Ｌ２Ｋは同一のものである。
【００６１】
各走査結像レンズによる結像光束の光路は、図２（ｃ）に示すように、光路折曲げミラーＭにより適宜に屈曲されて対応する感光体７Ｙ〜７Ｋに導光される。
【００６２】
各感光体７Ｙ〜７Ｋに形成された光スポットは感光体を光走査して静電潜像を書き込む。
【００６３】
この実施の形態において、走査結像レンズを構成するレンズは何れもプラスチックレンズであり、偏向手段５側の走査レンズＬ１も勿論、プラスチックレンズである（請求項１）。
【００６４】
また、図２の光走査装置は、各色に対応する複数の光源１Ｙ〜１Ｋを有し、各光源からの光ビームは、共通の偏向手段５により偏向されて、走査結像レンズＬ１、Ｌ２Ｙ〜Ｌ２Ｋにより異なる感光体上の被走査面７Ｙ〜７Ｋ上に導かれ、対応する被走査面上に光スポットとして集光され、走査結像レンズを構成する２つの走査レンズのうち、偏向手段５に近い走査レンズＬ１は、異なる被走査面７Ｙ〜７Ｋに向かう複数の光ビームに共通化されている（請求項１）。
【００６５】
偏向手段５側の走査レンズＬ１は副走査方向に屈折力を持たないため、異なる被走査面７Ｙ〜７Ｋに向かう複数の光ビームは、走査レンズＬ１を、図２（ｂ）に示すように副走査方向（図２（ｂ）の上下方向）に於いて互いに略平行に通過する（請求項５）。このように、走査レンズＬ１を透過した各光ビーム（の主光線）が互いに平行であり、相互に近づかないので、光路分割ミラーＭの配設が容易である。
【００６６】
図２の実施の形態では、走査結像レンズを構成するレンズのうち、偏向手段５側の走査レンズＬ１を、被走査面７Ｙ〜７Ｋに向かう複数（＝４）の光ビームに対して共通化した。偏向手段５は回転多面鏡で、モータ部、基盤による発熱が大きく、光学箱内の温度はモータ部の発熱で上昇する。この温度変動により偏向手段５に最も近い走査レンズＬ１に温度分布が生じ、光学特性を変化させる。
【００６７】
走査レンズＬ１は走査特性を補正する機能（等速化機能）を有しているため、上記光学特性の変化により等速特性に変化が生じるが、このような等速特性の変化が生じても、走査レンズＬ１は感光体７Ｙ〜７Ｋを光走査する各光ビームに共用されているので、等速特性の変化は各感光体７Ｙ〜７Ｋに対して共通化されることになり、感光体相互における「等速特性の差異」は発生しない。従って、連続プリント時等に環境変動が変動して、走査結像レンズの等速特性が変化しても、この「等速特性の変化に起因」するカラー画像の色相変化や色ずれの発生を抑制できる。
【００６８】
図２の実施の形態においては、光源からシリンドリカルレンズに至る部分を、イエロー、マゼンタ、シアン、黒について「副走査方向に互いに平行に重ね合せて配置」しているが、光走査装置のレイアウト上、折返しミラーなどで適宜に折返し、複数の光源やカップリングレンズ等が主走査方向に距離を持つように配置してもよい。
【００６９】
また、偏向手段５から走査レンズＬ１へは４つの感光体７Ｙ〜７Ｋを光走査する光ビームが副走査方向に並列して入射する構成であるが、別の構成として、例えば、４本の光ビームが共通の偏向手段に関して互いに逆向きに反射されるようにし、走査レンズＬ１に相当する走査レンズを偏向手段の両側に１個づつ配置し、偏向手段の両側に振り分けられた２本づつの光ビームが、これら２個の走査レンズを共通に透過するようにしてもよい。
【００７０】
上には、複数の被走査面をシングルビーム走査方式により光走査する場合の実施の形態を説明した。前述したように、被走査面の光走査はマルチビーム走査方式で行っても良い。この場合の実施の形態を、図３を参照して説明する。
【００７１】
図３（ａ）において、符号３１で示す光源装置は、２個の半導体レーザと、これら半導体レーザから放射された光ビームをカップリングする２個のカップリングレンズとを有する。各半導体レーザから放射され対応するカップリングレンズによりカップリングされた２本の光ビームは、シリンドリカルレンズ３２により偏向手段（回転多面鏡）３３の同一の偏向反射面位置に「副走査方向に分離した主走査方向に長い線像」として結像する。このとき、各半導体レーザからの２本の光束は、偏向反射面近傍の位置の略１点において主走査方向に交叉する。
【００７２】
偏向手段３３により偏向された各光ビームは、走査結像レンズ３５を構成する走査レンズ３４Ａ、３４Ｂを透過し、光路折り返しミラー３６により光路を折り返されて被走査面の実体をなす光導電性の感光体３７上に向って集光し、副走査方向に分離した２個の光スポットを形成し、被走査面をマルチビーム走査方式で光走査する。
【００７３】
即ち、この実施の形態では、光走査装置は複数の光源を有し、偏向手段３３が偏向反射面を有する反射型のものであり、同一の偏向反射面で偏向されて同一の被走査面３７を光走査する全ての光ビームが主走査方向において、偏向面近傍の略１点で交わるように構成されている（請求項６）。
【００７４】
図３（ｂ）の上図は、偏向反射面に異なる位置で入射する場合を示している。２本の光束（主光線を実線と破線で示す）が被走査面３７の同一位置Ｐ０に到達するときの偏向反射面の位置を、実線の光ビームにつきＤ1、破線の光ビームにしてＤ2とすると、図３（ｂ）上図の場合、結像位置Ｐ０にいたる走査レンズ３４Ａ、３４Ｂを通過する光路が大きく異なり、光路の差により光学作用も異なるため、結像位置Ｐ０において形成される光スポットのスポット径や結像倍率等が、実線と破線の光ビームで異なったものとなり易く、特に、走査線ピッチの像高間変動に対する影響が大きく、走査線曲がりが発生し易い。
【００７５】
これに対し、図３（ａ）に示すように、光源側からの２本の光ビームが偏向反射面近傍で主走査方向に交わるようにすると、被走査面３７上の結像位置Ｐ０に至る光路は、実線・破線の各光ビームに対して略同一となり、走査線曲がりを効果的に低減する事ができる。また、偏向手段５から被走査面側における各部品のばらつきによる光ビーム間の「主走査方向の書込位置変動」は、全光ビームで略同量となり、光ビーム間での主走査方向の書込位置ずれを抑制できる。
【００７６】
更に、同じ結像位置に結像する全光ビームが「走査光学レンズの主走査方向の略同じ位置を通過する」ことにより、走査結像レンズを構成する走査レンズの収差の影響を小さく抑えることができ、主走査方向の結像位置を各ビームとも精度良く合致させることができ、同期検知後、全光ビームに共通に遅延時間を設定しても、書込始め像高での主走査方向の位置ずれを抑えることが可能となる。
【００７７】
また、複数の光ビームが偏向反射面近傍で主走査方向に交わるようにすると、偏向反射面の大きさを最小にでき、回転多面鏡の内接円半径を最小にできる。
【００７８】
図３の実施の形態では、単一の被走査面３７をマルチビーム走査方式で光走査する場合を説明したが、図２の実施の形態におけるように、異なる被走査面に向かう光ビームを偏向手段の同一偏向反射面で偏向する場合、光源側のレイアウトにより「各光ビームが同一の偏向反射面に対し、主走査方向に互いに角をなす場合」には、各光ビームをポリゴンミラー５の偏向反射面５Ａの近傍で主走査方向において交差させることで、同様の効果が得られる。
【００７９】
各光ビームの交差位置のずれは、偏向反射面上で０．５ｍｍ以内とすることが好ましい。
【００８０】
図１に実施の形態を示した光走査装置を用いる画像形成装置の実施の１形態として「レーザプリンタ」を図４に示す。
【００８１】
レーザプリンタ１００は「感光性媒体」として、円筒状に形成された光導電性の感光体１１１を有する。感光体１１１の周囲には、帯電手段としての帯電ローラ１１２、現像装置１１３、転写ローラ１１４、クリーニング装置１１５が配備されている。帯電手段としては「コロナチャージャ」を用いることもできる。
【００８２】
更に、レーザビームＬＢにより光走査を行う光走査装置１１７が設けられ、帯電ローラ１１２と現像装置１１３との間で「光書込による露光」を行うようになっている。
【００８３】
図４において、符号１１６は定着装置、符号１１８はカセット、符号１１９はレジストローラ対、符号１２０は給紙コロ、符号１２１は搬送路、符号１２２は排紙ローラ対、符号１２３はトレイ、符号Ｐは「シート状記録媒体」としての転写紙を示している。
【００８４】
画像形成を行うときは、光導電性の感光体１１１が時計回りに等速回転され、その表面が帯電ローラ１１２により均一帯電され、光走査装置１１７のレーザビームＬＢの光書込による露光を受けて静電潜像が形成される。形成された静電潜像は所謂「ネガ潜像」であって画像部が露光されている。この静電潜像は現像装置１１３により反転現像され、像担持体１１１上にトナー画像が形成される。
【００８５】
転写紙Ｐを収納したカセット１１８は、画像形成装置１００本体に脱着可能であり、図のごとく装着された状態において、収納された転写紙Ｐの最上位の１枚が給紙コロ１２０により給紙され、給紙された転写紙Ｐは、その先端部をレジストローラ対１１９に捉えられる。
【００８６】
レジストローラ対１１９は、感光体１１１上のトナー画像が転写位置へ移動するのにタイミングを合わせて、転写紙Ｐを転写部へ送り込む。送り込まれた転写紙Ｐは、転写部においてトナー画像と重ね合わせられ転写ローラ１１４の作用によりトナー画像を静電転写される。
【００８７】
トナー画像を転写された転写紙Ｐは定着装置１１６へ送られ、定着装置１１６においてトナー画像を定着され、搬送路１２１を通り、排紙ローラ対１２２によりトレイ１２３上に排出される。トナー画像が転写された後の感光体１１１の表面は、クリーニング装置１１５によりクリーニングされ、残留トナーや紙粉等が除去される。
【００８８】
光走査装置１１７としては、図１に即して説明した如きものが用いられる。
【００８９】
図５には、先に図２に即して説明した如き光走査装置を用いる「タンデム式のカラー画像形成装置」の実施の１形態を示す。図中、符号５０で示す部分は、図
２において説明した光走査装置部分であり、符号５Ｙ、５Ｍ、５Ｃ、５Ｋはそれぞれ、光導電性の感光体７Ｙ、７Ｍ、７Ｃ、７Ｋを光走査する偏向光ビームを示している。この部分の説明は、図２に関する説明を援用する。
【００９０】
感光体７Ｙ（７Ｍ、７Ｃ、７Ｋ）の周囲には、帯電手段ＹＣ（ＭＣ、ＣＣ、ＫＣ）、現像手段ＹＤ（ＭＤ、ＣＤ、ＫＤ）、転写手段ＹＴ（ＭＴ、ＣＴ、ＫＴ）、クリーニング手段ＹＬ（ＭＬ、ＣＬ、ＫＬ）が配置され、感光体７Ｙ、７Ｍ、７Ｃ、７Ｋに接触するように搬送ベルト２Ａが配設されている。
【００９１】
感光体７Ｙ〜７Ｋは時計方法へ回転しつつ、対応する帯電手段ＹＣ〜ＫＣにより均一帯電され、光ビーム５Ｙ〜５Ｋにより光走査されて静電潜像をネガ潜像として書込まれる。これら静電潜像は現像装置ＹＤ〜ＫＤにより現像され、感光体７Ｙ、７Ｍ、７Ｃ、７Ｋにそれぞれイエロー、マゼンタ、シアン、黒の各色のトナー画像が形成される。
【００９２】
カラー画像を形成されるシート状記録媒体である転写紙は、カセット１Ａから給紙されてレジストローラ９により搬送ベルト２Ａ上に載せかけられる。搬送ベルト２Ａはチャージャ１８のよるコロナ放電で帯電され、転写紙は搬送ベルト２Ａ上に静電吸着される。
【００９３】
このようにして搬送ベルト２Ａに保持された転写紙は転写部を順次搬送されつつ、感光体７Ｋから「黒トナー画像」、感光体７Ｃから「シアントナー画像」、感光体７Ｍから「マゼンタトナー画像」、感光体７Ｙから「イエロートナー画像」を転写手段ＫＴ〜ＹＴの作用により順次転写される。
【００９４】
このようにして転写紙上にカラー画像が合成的に形成される。カラー画像を担持した転写紙は除電チャージャ１１より除電され、転写紙自体の腰の強さにより搬送ベルト２Ａから分離し定着装置１４に進み、カラー画像を定着され、排出ローラ１５によりトレイ１５’上に排出される。トナー画像転写後の感光体７Ｙ〜７Ｋは、クリーニング手段ＹＬ〜ＫＬによりそれぞれクリーニングされる。
【００９５】
即ち、図５に示す画像形成装置は、複数の光導電性の感光体７Ｙ〜７Ｋを感光性媒体として、転写媒体（転写紙）の搬送路に沿って配列し、各感光体に光走査を行って静電潜像を形成し、各静電潜像を異なる色のトナー画像として可視化し、各色トナー画像を同一のシート状記録媒体に重ね合わせて転写・定着して合成的に画像を得る画像形成装置（請求項８）である。また、タンデム型の画像形成装置（請求項９）で、光導電性の感光体の数が４でカラー画像を形成するタンデム型の画像形成装置（請求項１０）である。
【００９６】
【実施例】
以下、光走査装置の光学系の具体的な実施例を３例挙げる。想定しているのは、図１、図２に示す光走査装置である。
【００９７】
記号の説明
記号の意味は以下の通りである。
【００９８】
RY：主走査方向の面（アパーチャの面を含む）の曲率半径
RZ：副走査方向の面（アパーチャの面を含む）の曲率半径（光軸上）
Ｎ：使用波長(780nm)での材質の屈折率
Ｘ：光軸方向の距離
Ｙ：光軸からの主走査方向の距離
Ｚ：光軸からの副走査方向の距離
実施例１
「偏向手段より光源側の光学系」
面番号  RY(mm)    RZ(mm)    Ｘ(mm)      Ｎ      備考
光源     -         -        0.51         -    半導体レーザアレイ
１      ∞        ∞        0.3        1.511  カバーガラス
２      ∞        ∞       12.0         -     -
３*    52.59     52.59      3.8        1.512  カップリングレンズ
４*    -8.71     -8.71     15.0         -     -
５      ∞        ∞      138.85        -     アパーチャ
６      ∞       48.0       3.0        1.511  シリンドリカルレンズ
７      ∞        ∞       93.57        -     -
８       -         -         -          -     偏向反射面        。
【００９９】
「＊印」を付した面は「共軸非球面」である。非球面固有の数値は示さないが、カップリングレンズから射出する「平行光束」の波面収差が良好に補正される
ように設定されている。また、偏向手段は内接円直径:１８ｍｍ、偏向反射面数：６の回転多面鏡である。
【０１００】
「偏向手段後の光学系」
β0(偏向手段と被走査面との間の副走査方向の光軸上の結像倍率)：0.38
｜βh/β0｜の最大値：0.99                              。
面番号   RY(mm)    RZ(mm)    Ｘ(mm)      Ｎ      備考
０       ∞        ∞        68.0         -      偏向反射面
１*    1897.948    ∞        31.4      1.524     走査レンズ
２*    -151.350    ∞      162.0         -       -
３**  -4430.699  -88.519     8.2       1.524     走査レンズ
４**  -4584.974  -27.015   100.0         -       -
５       -         -         -           -       被走査面
「＊印」を付した各面は、主走査断面内の形状が非円弧形状で、副走査断面内の形状は直線となっている。このレンズ面は以下の式：１で表される。
【０１０１】
即ち、Cm＝1/RY、Cs(Y)＝1/RZとして、
X(Y,Z)＝Y2・Cm/[1+√{1-(1+K)・(Y・Cm)2}]
+ A・Y4+B・Y6+C・Y8+D・Y10+E・Y12
+ Cs(Y)・Z2/[1+√{1-(Cs(Y)・Z)2}]              （式：１）。
【０１０２】
「＊＊印」を付した各面は、主走査方向の形状が非円弧形状で、副走査方向の曲率半径が主走査方向のレンズ高さ（Ｙ）により連続的に変化する面であり、各面形状は、上記式：１における「Cs(Y)」を、
Cs(Y)＝1/RZ+a・Y+b・Y2+c・Y3+d・Y4+e・Y5+f・Y6+g・Y7
+h・Y8+i・Y9+j・Y10+k・Y11+l・Y12           （式：２）
として、上記式：１により表わされる。
【０１０３】
実施例１における非球面係数は以下の通りである。
【０１０４】
第１面        第２面        第３面         第４面
ＲＹ      1897.948      -151.350      -4430.699       -4584.974
Ｋ        8.680E-02    -2.892E-01     -5.249E+02      -3.313E+02
Ａ       -2.362E-08     1.415E-08      7.160E-09      -6.342E-09
Ｂ       -5.964E-14    -1.950E-12     -1.772E-13       1.330E-13
Ｃ        8.232E-17    -2.372E-16      1.104E-18      -1.838E-18
Ｄ        1.569E-20     2.083E-20     -1.639E-22      -1.733E-22
Ｅ        3.315E-24     3.903E-24     -3.107E-29       3.743E-29
ＲＺ        ∞            ∞           -88.519        -27.015
ａ           -             -              -            -2.440E-07
ｂ           -             -          -1.435E-07        1.197E-07
ｃ           -             -              -             1.325E-11
ｄ           -             -           5.793E-13       -4.423E-12
ｅ           -             -              -            -3.719E-15
ｆ           -             -          -6.428E-17       -2.276E-16
ｇ           -             -              -             1.535E-19
ｈ           -             -          -3.700E-21        5.299E-22
ｉ           -             -              -             1.276E-23
ｊ           -             -          -1.126E-25       -4.801E-26
ｋ           -             -              -            -7.059E-28
ｌ           -             -          -9.704E-30       -4.770E-30  。
【０１０５】
上の表示において例えば「E-30」は「10-30」を意味し、この数値が直前の数値にかかるものである。
【０１０６】
この光学系においては、シリンドリカルレンズと偏向手段との間に、厚さ：１．９ｍｍの防音ガラス（屈折率：１．５１１)を、副走査方向に対して傾き角：８度で配置している。
【０１０７】
実施例２
「偏向手段より光源側の光学系」
実施例１におけるものと同一である。
【０１０８】
「偏向手段後の光学系」
β0(偏向手段と被走査面との間の副走査方向の光軸上の結像倍率)：0.38
｜βh/β0｜の最大値：0.99                              。
面番号    RY(mm)    RZ(mm)    Ｘ(mm)      Ｎ      備考
０        ∞        ∞        68.0        -        偏向反射面
１*    1898.537     ∞        31.4       1.524     走査レンズ
２*    -151.277     ∞       162.0        -        -
３**  -4100.699    -88.511     8.2       1.524     走査レンズ
４**  -4584.974    -27.015   100.0        -        -
５        -          -          -         -        被走査面
「＊印、＊＊印」を付した各面の形状は実施例１におけると同様、式：１および式：２を用いた式：１で表される。
【０１０９】
実施例２における非球面係数は以下の通りである。
【０１１０】
第１面        第２面        第３面        第４面
ＲＹ      1898.537      -151.277      -4100.699      -4584.974
Ｋ        8.080E-00      -2.909E-01    -4.657E+02    -2.719E+02
Ａ      -2.367E-08        1.423E-08     7.146E-09    -6.327E-09
Ｂ      -6.495E-14       -1.942E-12    -1.775E-13     1.333E-13
Ｃ       8.216E-17       -2.364E-16     1.100E-18    -1.833E-18
Ｄ       1.586E-20        2.089E-20    -1.639E-22    -1.733E-22
Ｅ       3.433E-24        3.898E-24    -3.560E-29     3.268E-29
ＲＺ     ∞                ∞          -88.511      -27.015
ａ          -               -            -           -2.085E-07
ｂ          -               -          -1.439E-07     1.201E-07
ｃ          -               -            -            1.327E-11
ｄ          -               -           5.437E-13    -4.400E-12
ｅ          -               -            -           -3.763E-15
ｆ          -               -          -6.670E-17    -2.269E-16
ｇ          -               -            -            1.516E-19
ｈ          -               -          -3.762E-21     5.862E-22
ｉ          -               -            -            1.263E-23
ｊ          -               -          -1.132E-25    -4.732E-26
ｋ          -            -              -            -7.097E-28
ｌ          -            -             -9.544E-30    -4.880E-30      。
【０１１１】
この光学系においても、シリンドリカルレンズと偏向手段との間に、厚さ：１．９ｍｍの防音ガラス（屈折率：１．５１１)を、副走査方向に対して傾き角：８度で配置している。
【０１１２】
実施例３
「偏向手段より光源側の光学系」
実施例１におけるものと同一である。
【０１１３】
「偏向手段後の光学系」
β0(偏向手段と被走査面との間の副走査方向の光軸上の結像倍率)：0.38
｜βh/β0｜の最大値：0.99                              。
面番号    RY(mm)      RZ(mm)    Ｘ(mm)      Ｎ       備考
０        ∞          ∞        68.0        -        偏向反射面
１*     1900.703      ∞        31.4        1.524    走査レンズ
２*     -151.109      ∞       162.0        -        -
３**   -3500.699    -88.468      8.2        1.524    走査レンズ
４**   -4584.974    -27.016    100.0      -          -
５          -          -          -          -       被走査面
「＊印、＊＊印」を付した各面の形状は実施例１におけると同様、式：１および式：２を用いた式：１で表される。
【０１１４】
実施例３における非球面係数は以下の通りである。
【０１１５】
第１面        第２面        第３面        第４面
ＲＹ      1900.703      -151.109      -3500.699      -4584.974
Ｋ        -2.559E+01    -2.916E-01    -5.852E+02     -4.187E+02
Ａ        -2.362E-08     1.432E-08     7.071E-09     -6.248E-09
Ｂ        -3.061E-14    -1.965E-12    -1.788E-13      1.347E-13
Ｃ         8.757E-17    -2.424E-16     1.096E-18     -1.825E-18
Ｄ         1.526E-20     2.014E-20     -1.632E-22    -1.739E-22
Ｅ         2.719E-24     3.969E-24      1.212E-29    -1.262E-30
ＲＺ        ∞            ∞          -88.468        -27.016
ａ          -              -             -           -1.278E-07
ｂ          -              -         -1.447E-07       1.209E-07
ｃ          -              -            -             1.454E-11
ｄ          -              -          4.630E-13      -4.339E-12
ｅ          -              -            -            -4.166E-15
ｆ          -              -         -7.411E-17      -2.250E-16
ｇ          -              -            -             1.256E-19
ｈ          -              -         -3.948E-21       7.534E-22
ｉ          -              -            -             1.262E-23
ｊ          -              -         -1.104E-25      -4.876E-26
ｋ          -              -            -            -6.184E-28
ｌ          -            -            -8.419E-30      -5.695E-30    。
【０１１６】
この光学系においても、シリンドリカルレンズと偏向手段との間に、厚さ：１．９ｍｍの防音ガラス（屈折率：１．５１１)を、副走査方向に対して傾き角：８度で配置している。
【０１１７】
図６〜図８に、実施例１〜３に関する像面湾曲と等速化特性（ｆθ特性・リニアリティ）の図を示す。これらの図から明らかなように、実施例１〜３とも性能は極めて良好である。
【０１１８】
実施例１〜３の光学系における走査結像レンズは何れも、光源からの光ビームを偏向する偏向手段と、この偏向手段により偏向された光ビームを被走査面上に導き、上記被走査面上に光スポットとして集光させる走査結像レンズとを有する光走査装置において用いられ、２枚の走査レンズで構成され、偏向手段側の走査レンズは、主走査方向に正の屈折力を持ち、副走査方向の屈折力がゼロであり、被走査面側の走査レンズは、主走査方向に負の屈折力、副走査方向に正の屈折力を持つ（請求項１）。また、２枚の走査レンズのうち、走査面側の走査レンズは「主走査断面内の形状が被走査面に凸面を向けた負メニスカス形状」で（請求項２）、副走査方向に関して、偏向手段における偏向の起点と被走査面とを幾何光学的に略共役な関係とする機能を持ち、偏向手段と被走査面との間の、光軸上における副走査方向の横倍率：β0、任意像高における副走査方向の横倍率：βｈが、条件：
（２）  0.9＜｜βｈ/β0｜＜1.1
を満足し（請求項３）、上記横倍率：β0が、条件：
（３）  0.2＜｜β0｜＜0.6
を満足する（請求項４）。
【０１１９】
また、偏向手段の偏向の起点から被走査面に至る光軸上の距離：Ｌ、各走査レンズにおける光軸上におけるレンズ間隔の最大の距離：ａは、条件：
（１）  0.3＜｜ａ/Ｌ｜＜0.6
を満足し（請求項１）、走査結像レンズを構成する２枚の走査レンズは共にプラスチックレンズである。
【０１２０】
【発明の効果】
以上に説明したように、この発明によれば新規な光走査装置および画像形成装置を実現できる。この発明の光走査装置は上記の如く、「ｆθ機能等の等速化機能」を良好に保ちつつ、主走査方向、副走査方向の像面湾曲を良好に補正し安定した光スポットを実現でき、従って、この光走査を用いる画像形成装置は良好な画像形成を実現できる。
【図面の簡単な説明】
【図１】  光走査装置の実施の１形態における光学配置を示す図である。
【図２】  この発明の光走査装置と、これを用いたタンデム式の画像形成装置の光走査部を説明するための図である。
【図３】  この発明の光走査装置を用いたマルチビーム走査方式の光走査装置の実施の１形態を説明するための図である。
【図４】  図１の光走査装置を用いた画像形成装置の実施の１形態を示す図である。
【図５】  図２の光走査装置を用いたタンデム式のカラー画像形成装置の実施の１形態を示す図である。
【図６】  実施例１の像面湾曲と等速化特性を示す図である。
【図７】  実施例２の像面湾曲と等速化特性を示す図である。
【図８】  実施例３の像面湾曲と等速化特性を示す図である。
【符号の説明】
１      光源
２      カップリングレンズ
４      シリンドリカルレンズ
５      偏向手段
６      走査結像レンズ
【図１】
0003686643.tif 000002
【図２】
0003686643.tif 000003
【図３】
0003686643.tif 000004
【図４】
0003686643.tif 000005
【図５】
0003686643.tif 000006
【図６】
0003686643.tif 000007
【図７】
0003686643.tif 000008
【図８】
0003686643.tif 000009